(57)【要約】  本発明は、アダプタの外形を構成するハウジングの両端部に電気的に連結された第１および第２ピン部を形成することによって、既存のアダプタにおいて多くの体積を占めていたワイヤーハーネス（Ｈａｒｎｅｓｓ）などの除去と共に最小部品の使用によりアダプタを一体化させて製品を小型化することができ、既存のアダプタ製品に比べて生産単価を画期的に節減することができる、コネクタのピッチ変更用アダプタおよびその製造方法に関する。
2020525975.tif 000002
【特許請求の範囲】
【請求項１】
ハウジングと、
前記ハウジングの一側に形成される第１ピン部と、
前記ハウジングの他側に形成される第２ピン部と、および
前記第１ピン部および前記第２ピン部を電気的に連結する連結部と、
を含む、コネクタピッチ変更用アダプタ。
【請求項２】
前記第１ピン部には第１ピッチの一つ以上の第１ピンが含まれ、
前記第２ピン部には第２ピッチの一つ以上の第２ピンが含まれる、請求項１に記載のコネクタピッチ変更用アダプタ。
【請求項３】
前記ハウジングは、
前記第１ピン部が位置した領域と、
前記第１ピン部および前記第２ピン部が分離しない一体型に形成される、請求項１または２に記載のコネクタピッチ変更用アダプタ。
【請求項４】
前記ハウジングの前記一側には、前記第１ピン部または前記第２ピン部と連結されるコネクタの一側に突出した突出部と干渉しないように備えられた溝が形成される、請求項１から３のいずれか一項に記載のコネクタピッチ変更用アダプタ。
【請求項５】
前記第１ピッチは、前記第２ピッチより小さい、請求項２に記載のコネクタピッチ変更用アダプタ。
【請求項６】
前記第２ピッチは、１ｍｍ〜２．５４ｍｍピッチである、請求項５に記載のコネクタピッチ変更用アダプタ。
【請求項７】
前記第１ピッチは１．２７ｍｍピッチであって、
前記第２ピッチは２．５４ｍｍピッチである、請求項２、５、６のいずれか一項に記載のコネクタピッチ変更用アダプタ。
【請求項８】
前記第１ピンと前記第２ピンの個数が同一である、請求項２、５から７のいずれか一項に記載のコネクタピッチ変更用アダプタ。
【請求項９】
ハウジングを形成するステップと、
前記ハウジングの一側に第１ピン部を形成するステップと、
前記ハウジングの他側に第２ピン部を形成するステップと、および
前記第１ピン部および前記第２ピン部を電気的に連結する連結部を形成するステップと、
を含む、コネクタピッチ変更用アダプタの製造方法。
【請求項１０】
前記ハウジングの前記一側に前記第１ピン部を形成するステップは、
前記第１ピン部に第１ピッチの一つ以上の第１ピンを形成するステップを含み、
前記ハウジングの前記他側に前記第２ピン部を形成するステップは、
前記第２ピン部に第２ピッチの一つ以上の第２ピンを形成するステップを含む、請求項９に記載のコネクタピッチ変更用アダプタの製造方法。
【請求項１１】
前記ハウジングを形成するステップは、前記第１ピン部と前記第２ピン部が分離しない一体型に形成するステップを含む、請求項９または１０に記載のコネクタピッチ変更用アダプタの製造方法。
【請求項１２】
前記ハウジングを形成するステップは、
前記ハウジングの前記一側に前記第１ピン部または前記第２ピン部と連結されるコネクタの一側に突出した突出部と干渉しないように溝を形成するステップを含む、請求項９から１１のいずれか一項に記載のコネクタピッチ変更用アダプタの製造方法。
【請求項１３】
前記第１ピッチは、前記第２ピッチより小さい、請求項１０に記載のコネクタピッチ変更用アダプタの製造方法。
【請求項１４】
前記第２ピッチは、１ｍｍ〜２．５４ｍｍピッチである、請求項１０または１３に記載のコネクタピッチ変更用アダプタの製造方法。
【請求項１５】
前記第１ピッチは１．２７ｍｍピッチであって、
前記第２ピッチは２．５４ｍｍピッチである、請求項１０、１３、１４のいずれか一項に記載のコネクタピッチ変更用アダプタの製造方法。
【請求項１６】
前記第１ピンと前記第２ピンの個数が同一である、請求項１０、１３から１５のいずれか一項に記載のコネクタピッチ変更用アダプタの製造方法。
【発明の詳細な説明】
【技術分野】
【０００１】
本出願は２０１８年０１月３０日に韓国特許出願第１０−２０１８−００１１１７３号に基づいた優先権の利益を主張し、上記韓国特許出願の文献に開示された全ての内容は本明細書の一部として含まれる。
【０００２】
本発明は、コネクタのピッチ変更用アダプタおよびその製造方法に関し、アダプタの外形を構成するハウジングの両端部に電気的に連結された第１および第２ピン部を形成することによって、既存のアダプタにおいて多くの体積を占めていたワイヤーハーネス（Ｈａｒｎｅｓｓ）などの除去と共に最小部品の使用によりアダプタを一体化させて製品を小型化することができ、既存のアダプタ製品に比べて生産単価を画期的に節減することができる、コネクタのピッチ変更用アダプタおよびその製造方法に関する。
【背景技術】
【０００３】
印刷回路基板は、金属配線が細く印刷された板であって、半導体、コンデンサおよび抵抗などの各種素子などを挿入することができるようになっている。このような配線を介して素子などの相互間を連結させる役割をし、配線と素子配置などを効率的に設計できるようにすることによって印刷回路基板の大きさを減らし、究極的には印刷回路基板が入る電子機器の大きさも減らす役割をする。
【０００４】
印刷回路基板上のコネクタは、印刷回路基板と他の装置とを連結することができる接続素子である。印刷回路基板上のコネクタは、印刷回路基板の開発ステップにおいて他の装置と連結されて、印刷回路基板に必要なソフトウェア（Ｓｏｆｔｗａｒｅ）などのアップロード（Ｕｐｌｏａｄ）またはダウンロード（Ｄｏｗｎｌｏａｄ）などができるように印刷回路基板に電気的信号を伝達する役割をする。このような印刷回路基板上のコネクタの大きさも印刷回路基板全体の大きさに多くの部分を占める。コネクタの大きさを減らすことができるのであれば、印刷回路基板の小型化にも役に立つ。
【０００５】
一方、印刷回路基板の小型化のために、印刷回路基板に従来のコネクタより大きさの小さいコネクタを用いる時、従来のコネクタとピッチ（Ｐｉｔｃｈ）が同一な接続器具を連結するためにアダプタ（Ａｄａｐｔｅｒ）を用いるようになる。このアダプタを用いて、ピッチが異なるコネクタを有した装置間に電気的連結を可能にする。
【０００６】
しかし、従来のアダプタが非常に高価であり、ハーネス（Ｈａｒｎｅｓｓ）などのような不要な部品が含まれていてアダプタの体積が大きくなるという問題があった。
【０００７】
そこで、本発明者は、上述した問題点を解決するために、アダプタの外形を構成するハウジングの両端部に電気的に連結された第１および第２ピン部を形成することによって、既存のアダプタにおいて多くの体積を占めていたワイヤーハーネス（Ｈａｒｎｅｓｓ）などの除去と共に最小部品の使用によりアダプタを一体化させて製品を小型化することができ、既存のアダプタ製品に比べて生産単価を画期的に節減することができる、コネクタのピッチ変更用アダプタおよびその製造方法を開発するに至った。
【発明の概要】
【発明が解決しようとする課題】
【０００８】
本発明は、上述した問題点を解決するために導き出されたものであり、アダプタの外形を構成するハウジングの両端部に電気的に連結された第１および第２ピン部を形成することによって、既存のアダプタにおいて多くの体積を占めていたワイヤーハーネス（Ｈａｒｎｅｓｓ）などの除去と共に最小部品の使用によりアダプタを一体化させて製品を小型化することができ、既存のアダプタ製品に比べて生産単価を画期的に節減することができる、コネクタのピッチ変更用アダプタおよびその製造方法を提供することにある。
【課題を解決するための手段】
【０００９】
本発明の一実施形態によるコネクタのピッチ変更用アダプタは、ハウジング（Ｈｏｕｓｉｎｇ）、ハウジングの一側に形成される第１ピン部、ハウジングの他側に形成される第２ピン部、および第１および第２ピン部を電気的に連結する連結部を含む。
【００１０】
一つの実施形態において、第１ピン部には各々第１ピッチ（Ｐｉｔｃｈ）の一つ以上の第１ピンが含まれ、第２ピン部には各々第２ピッチの一つ以上の第２ピンが含まれてもよい。
【００１１】
一つの実施形態において、ハウジングは、第１ピン部が位置した領域と、第１および第２ピン部が分離しない一体型に形成されてもよい。
【００１２】
一つの実施形態において、ハウジングの一側には、第１ピン部または第２ピン部と連結されるコネクタの一側に突出した突出部と干渉しないように備えられた溝が形成されてもよい。
【００１３】
一つの実施形態において、第１ピッチは、第２ピッチより小さいピッチを有してもよい。
【００１４】
一つの実施形態において、第２ピッチは、１ｍｍ〜２．５４ｍｍピッチであってもよい。
【００１５】
一つの実施形態において、第１ピッチは１．２７ｍｍピッチであり、第２ピッチは２．５４ｍｍピッチであってもよい。
【００１６】
一つの実施形態において、第１ピンと第２ピンの個数が同一であってもよい。
【００１７】
本発明の一実施形態によるコネクタのピッチ変更用アダプタの製造方法は、ハウジング（Ｈｏｕｓｉｎｇ）を形成するステップ、ハウジングの一側に第１ピン部を形成するステップ、ハウジングの他側に第２ピン部を形成するステップ、および第１および第２ピン部を電気的に連結する連結部を形成するステップを含む。
【００１８】
一つの実施形態において、ハウジングの一側に第１ピン部を形成するステップは、第１ピン部に各々第１ピッチの一つ以上の第１ピンを形成するステップを含み、ハウジングの他側に第２ピン部を形成するステップは、第２ピン部に各々第２ピッチの一つ以上の第２ピンを形成するステップを含んでもよい。
【００１９】
一つの実施形態において、ハウジングを形成するステップは、第１ピン部と第２ピン部が分離しない一体型に形成してもよい。
【００２０】
一つの実施形態において、ハウジングを形成するステップは、ハウジングの一側に第１ピン部または第２ピン部と連結されるコネクタの一側に突出した突出部と干渉しないように溝を形成するステップを含んでもよい。
【００２１】
一つの実施形態において、第１ピッチは、第２ピッチより小さいピッチを有してもよい。
【００２２】
一つの実施形態において、第２ピッチは、１ｍｍ〜２．５４ｍｍピッチであってもよい。
【００２３】
一つの実施形態において、第１ピッチは１．２７ｍｍピッチであり、第２ピッチは２．５４ｍｍピッチであってもよい。
【００２４】
一つの実施形態において、第１ピンと第２ピンの個数が同一であってもよい。
【発明の効果】
【００２５】
本発明の一側面によれば、アダプタの外形を構成するハウジングの両端部に電気的に連結された第１および第２ピン部を形成することによって、既存のアダプタにおいて多くの体積を占めていたワイヤーハーネス（Ｈａｒｎｅｓｓ）などの除去と共に最小部品の使用によりアダプタを一体化させて製品を小型化することができ、既存のアダプタ製品に比べて生産単価を画期的に節減することができる、コネクタのピッチ変更用アダプタおよびその製造方法を提供することができる。
【図面の簡単な説明】
【００２６】
【図１】本発明の一実施形態によるコネクタのピッチ変更用アダプタの構成を概略的に示す図である。
【図２】本発明の一実施形態によるコネクタのピッチ変更用アダプタの製造方法を一連の順に示すフローチャートである。
【発明を実施するための形態】
【００２７】
以下、本発明の理解を助けるために好ましい実施形態を提示する。但し、下記の実施形態は本発明をより容易に理解するために提供されるものに過ぎず、下記の実施形態によって本発明の内容が限定されるものではない。
【００２８】
図１は、本発明の一実施形態によるコネクタのピッチ変更用アダプタ１００の構成を概略的に示す図である。
【００２９】
図１を参照すれば、本発明の一実施形態によるコネクタのピッチ変更用アダプタ１００は、大きく、ハウジング１１０、第１ピン部１２０、第２ピン部１３０および連結部１４０を含んで構成されることができる。また、一つの実施形態においては、溝１５０をさらに含んで構成されることができる。
【００３０】
先ず、コネクタのピッチ変更用アダプタ１００は、ピッチが互いに異なる二つの装置のコネクタが電気的に連結されるようにする役割をする。それにより、二つの装置間に電気的信号を伝送できるようになる。ここで、電気的に連結されるとは、連結された素子または装置などが電気的信号を伝送できるようにすることを意味する。また、電気的信号を伝送するとは、装置または印刷回路基板に必要なソフトウェア（Ｓｏｆｔｗａｒｅ）などをダウンロード（Ｄｏｗｎｌｏａｄ）またはアップロード（Ｕｐｌｏａｄ）ができることを意味する。また、印刷回路基板に取り付けられる素子などが不良であるか否かおよびその素子などが印刷回路基板に正しく取り付けられているか否か、印刷回路基板上のパターン印刷が正確になっているか否かなどを判断できることを意味する。印刷回路基板は、自動車ＢＭＳ（Ｂａｔｔｅｒｙ  Ｍａｎａｇｅｍｅｎｔ  Ｓｙｓｔｅｍ）分野に適用されるものであってもよい。
【００３１】
コネクタのピッチ変更用アダプタ１００は、後述するハウジング１１０、第１ピン部１２０、第２ピン部１３０および連結部１４０を含んで一体型に構成されることができる。また、溝１５０をさらに含んで構成されることができる。一体型とは、一つの塊になった形態を意味する。
【００３２】
ハウジング１１０は、コネクタのピッチ変更用アダプタ１００の全体的な形態をなす役割をする。また、後述する第１ピン部１２０および第２ピン部１３０の各々のピッチに合うコネクタが挿入あるいは収容されるための空間を提供する役割をする。また、第１ピン部１２０および第２ピン部１３０のピン（Ｐｉｎ）を保護する役割をする。ピンを保護するとは、外部要因によるピンの反りと破損などに対して物理的な保護をすることを意味する。ハウジング１１０は、第１ピン部１２０が位置した領域と、第１ピン部１２０および第２ピン部１３０が分離しない一体型に形成されることができる。また、ハウジング１１０の一側には、第１ピン部１２０または第２ピン部１３０と連結されるコネクタの一側に突出した突出部と干渉しないように備えられた後述する溝１５０が形成されることができる。
【００３３】
第１ピン部１２０は、第１ピン部１２０に挿入あるいは収容可能なコネクタと電気的に連結され、後述する連結部１４０を経て第２ピン部１３０に電気的信号を伝達する役割をする。この連結により、第２ピン部１３０に連結される他の装置に電気的信号を伝達することができる。また、第１ピン部１２０は、ハウジング１１０の一側に形成されることができる。これは、第１ピン部１２０が一側面に位置する場合、後述する第２ピン部１３０は第１ピン部１２０と隣接した面あるいは対向する対向面に位置することを意味する。第１ピン部のピン方向と第２ピン部のピン方向は互いに同一な直線方向に向かうように形成されることができる。また、第１ピン部１２０は、第１ピッチを有する第１ピン１２０ａを含んで構成されることができる。アダプタのピンを介して、規格が異なるコネクタを有した二つの機器の間に電気的信号を伝達することができる。ここで、ピッチ（Ｐｉｔｃｈ）とは、同じ模様のものが同じ間隔で繰り返し羅列している時にその間隔の距離を意味する。例えば、歯車における鋸歯と鋸歯との間の距離、またはネジにおけるネジ山とネジ山との間の距離を意味する。また、ピッチは、コネクタのホールとホールとの間、アダプタのピンとピンとの間の距離であってもよい。
【００３４】
第２ピン部１３０は、第２ピン部１３０に挿入あるいは収容可能なコネクタと電気的に連結され、後述する連結部１４０を経て第１ピン部１２０に電気的信号を伝達する役割をする。この連結により、第１ピン部１２０に連結される他の装置に電気的信号を伝達することができる。第２ピン部１３０には、各々、第２ピッチの一つ以上の第２ピンが含まれることができる。また、第２ピン部１３０は、ハウジング１１０の他側に形成されることができる。また、第２ピッチの一つ以上の第２ピン１３０ａを含んで構成されることができる。互いに異なるピッチの二つのコネクタを連結するための第１ピン部１２０の第１ピッチは、第２ピン部１３０の第２ピッチより小さいピッチを有することができる。例えば、コネクタの最小ピッチに応じた第２ピン１３０ａの第２ピッチは、１ｍｍ〜２．５４ｍｍピッチとすることができる。一つの実施形態によれば、第１ピッチは１．２７ｍｍピッチであり、第２ピッチは２．５４ｍｍピッチとすることができる。第１および第２ピッチは、第１および第２ピッチに連結されるコネクタの最小ピッチに応じて変わることができる。第１ピン１２０ａは、第２ピン１３０ａとピンの個数が同一であってもよい。
【００３５】
連結部１４０は、第１ピン部１２０と第２ピン部１３０を電気的に連結する役割をする。それにより、第１ピン部と連結された第１ピッチのコネクタを有する装置と、第２ピン部と連結された第２ピッチのコネクタを有する装置との間に電気的信号を伝送できるようになる。連結部１４０において、第１ピン１２０ａと第２ピン１３０ａとは、各々のピンが対応して電気的に連結されることができる。対応して連結されるとは、例えば、ピンが一列に７個ずつ２行に並んでいる１４個のピンのアダプタにおいて、ピンを上から見下ろす方向に一側の最も左側の上にあるピンの番号を１番、最も右側の上にあるピンの番号を７番にすれば、アダプタを水平に１８０度回転させた他側の最も左側の上にあるピンの番号は７番、最も右側の上にあるピンの番号は１番になって、一側ピンと他側ピンの番号が同一なピン同士が連結される意味である。
【００３６】
溝１５０は、コネクタとアダプタの結合時、アダプタとコネクタが容易に結合されるように助力する役割をする。例えば、ハウジング１００の一側に、第１ピン部１２０または第２ピン部１３０と連結されるコネクタの一側に突出した突出部と干渉しないように備えられた溝１５０が形成されることができる。
【００３７】
次は、図２に基づいてコネクタのピッチ変更用アダプタの設計過程を説明する。
【００３８】
図２は、本発明の一実施形態によるコネクタのピッチ変更用アダプタの製造方法を一連の順に示すフローチャートである。
【００３９】
図２を参照すれば、先ず、ハウジングを形成する（Ｓ１０１）。ハウジングはアダプタの全体的な形態をなし、第１ピン部および第２ピン部の各々のピッチ規格に合うコネクタが挿入あるいは収容されるための空間を提供する役割をする。また、ハウジングを形成するステップにおいて、第１ピン部と第２ピン部が分離しない一体型に形成されることができ、ハウジングの一側に第１ピン部または第２ピン部と連結されるコネクタの一側に突出した突出部と干渉しないように溝を形成することができる。
【００４０】
次に、ハウジングの一側に第１ピン部を形成し（Ｓ１０２）、ハウジングの他側に第２ピン部を形成する（Ｓ１０３）。第１ピン部は、第１ピッチの一つ以上の第１ピンを含んで構成されることができる。そして、第２ピン部は、第２ピッチの一つ以上の第２ピンを含んで構成されることができる。ここで、第１ピッチは第２ピッチより小さいピッチを有することができる。例えば、第２ピン１３０ａの第２ピッチは１ｍｍ〜２．５４ｍｍピッチとすることができる。一つの実施形態によれば、第１ピッチは１．２７ｍｍピッチであり、第２ピッチは２．５４ｍｍピッチとすることができる。第１および第２ピッチは、第１および第２ピッチに連結されるコネクタの最小ピッチに応じて変わることができる。また、第１ピンと第２ピンの個数は同一であってもよい。
【００４１】
ステップＳ１０１〜Ｓ１０３後に、第１ピン部と第２ピン部とを電気的に連結する連結部を形成する（Ｓ１０４）。それにより、第１ピン部と連結された第１ピッチのコネクタを有する装置と、第２ピン部と連結された第２ピッチのコネクタを有する装置との間に電気的信号を伝送できるようになる。
【００４２】
以上では本発明の好ましい実施形態を参照して説明したが、上記技術分野の熟練した当業者であれば、下記の特許請求の範囲に記載された本発明の思想および領域から逸脱しない範囲内で本発明を多様に修正および変更できることを理解することができるであろう。
【図１】
2020525975.tif 000003
【図２】
2020525975.tif 000004
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
ハウジングと、
前記ハウジングの第１面に形成される第１ピン部と、
前記ハウジングの第２面に形成される第２ピン部と、および
前記第１ピン部および前記第２ピン部を電気的に連結する連結部と、
を含む、コネクタピッチ変更用アダプタ。
【請求項２】
前記第１ピン部には第１ピッチの一つ以上の第１ピンが含まれ、
前記第２ピン部には第２ピッチの一つ以上の第２ピンが含まれる、請求項１に記載のコネクタピッチ変更用アダプタ。
【請求項３】
前記第１ピッチは、前記第２ピッチより小さい、請求項２に記載のコネクタピッチ変更用アダプタ。
【請求項４】
前記第２ピッチは、１ｍｍ〜２．５４ｍｍピッチである、請求項２または３に記載のコネクタピッチ変更用アダプタ。
【請求項５】
前記第１ピッチは１．２７ｍｍピッチであって、
前記第２ピッチは２．５４ｍｍピッチである、請求項２から４のいずれか一項に記載のコネクタピッチ変更用アダプタ。
【請求項６】
前記第１ピンと前記第２ピンの個数が同一である、請求項２から５のいずれか一項に記載のコネクタピッチ変更用アダプタ。
【請求項７】
前記ハウジングは、
前記第１ピン部が位置した領域と、
前記第１ピン部および前記第２ピン部が分離しない一体型に形成される、請求項１から６のいずれか一項に記載のコネクタピッチ変更用アダプタ。
【請求項８】
前記ハウジングの前記第１面には、前記第１ピン部または前記第２ピン部と連結されるコネクタの一側面に突出した突出部と干渉しないように備えられた溝が形成される、請求項１から７のいずれか一項に記載のコネクタピッチ変更用アダプタ。
【請求項９】
ハウジングを形成するステップと、
前記ハウジングの第１面に第１ピン部を形成するステップと、
前記ハウジングの第２面に第２ピン部を形成するステップと、および
前記第１ピン部および前記第２ピン部を電気的に連結する連結部を形成するステップと、
を含む、コネクタピッチ変更用アダプタの製造方法。
【請求項１０】
前記ハウジングの前記第１面に前記第１ピン部を形成するステップは、
前記第１ピン部に第１ピッチの一つ以上の第１ピンを形成するステップを含み、
前記ハウジングの前記第２面に前記第２ピン部を形成するステップは、
前記第２ピン部に第２ピッチの一つ以上の第２ピンを形成するステップを含む、請求項９に記載のコネクタピッチ変更用アダプタの製造方法。
【請求項１１】
前記第１ピッチは、前記第２ピッチより小さい、請求項１０に記載のコネクタピッチ変更用アダプタの製造方法。
【請求項１２】
前記第２ピッチは、１ｍｍ〜２．５４ｍｍピッチである、請求項１０または１１に記載のコネクタピッチ変更用アダプタの製造方法。
【請求項１３】
前記第１ピッチは１．２７ｍｍピッチであって、
前記第２ピッチは２．５４ｍｍピッチである、請求項１０から１２のいずれか一項に記載のコネクタピッチ変更用アダプタの製造方法。
【請求項１４】
前記第１ピンと前記第２ピンの個数が同一である、請求項１０から１３のいずれか一項に記載のコネクタピッチ変更用アダプタの製造方法。
【請求項１５】
前記ハウジングを形成するステップは、前記第１ピン部と前記第２ピン部が分離しない一体型に形成するステップを含む、請求項９から１４のいずれか一項に記載のコネクタピッチ変更用アダプタの製造方法。
【請求項１６】
前記ハウジングを形成するステップは、
前記ハウジングの前記第１面に前記第１ピン部または前記第２ピン部と連結されるコネクタの一側面に突出した突出部と干渉しないように溝を形成するステップを含む、請求項９から１５のいずれか一項に記載のコネクタピッチ変更用アダプタの製造方法。
【国際調査報告】
2020525975.tif 000005
2020525975.tif 000006
2020525975.tif 000007
2020525975.tif 000008